(57)【要約】【課題】より多くの言語に対応させたコンテンツの配信を可能としながらも、上位ネットワークの負荷や端末アプリ処理の負荷を低く抑えることができるデータ送信方法、アクセスポイント及びデータ送信システムを提供する。【解決手段】アクセスポイント３は、アクセスポイント３に接続している全ての端末２ｉのそれぞれが許容する言語の種類を取得し、コンテンツ配信サーバ５にアクセスして、各端末２ｉの言語の種類を通知し、言語の種類を通知した後、コンテンツ配信サーバ５より各端末２ｉの言語の種類に対応したコンテンツを受信し、受信したコンテンツを多重化して、アクセスポイント３に接続している全ての端末２ｉに対してマルチキャスト送信する。【選択図】図１
2017037408.tif 000002
【特許請求の範囲】
【請求項１】
外部端末からコンテンツを受信し、受信した前記コンテンツを複数の端末へ送信するアクセスポイントが実行するデータ送信方法であって、
前記アクセスポイントは、
当該アクセスポイントに接続している端末が許容する言語の種類を取得し、
前記外部端末に前記言語の種類を通知し、
前記外部端末から前記言語の種類に対応したコンテンツを受信し、
前記受信したコンテンツを前記複数の端末に対してマルチキャスト送信する、
データ送信方法。
【請求項２】
請求項１に記載のデータ送信方法であって、
前記アクセスポイントは、
認証サーバにアクセスして、当該アクセスポイントに接続している端末の認証を取得した後に、当該アクセスポイントに接続している端末が許容する言語の種類を取得する、
データ送信方法。
【請求項３】
請求項１又は請求項２に記載のデータ送信方法であって、
前記取得された前記言語の種類がすでに取得されたものである場合、前記外部端末に前記言語の種類を通知しない、
データ送信方法。
【請求項４】
請求項１から請求項３のいずれか一項に記載のデータ送信方法であって、
前記外部端末は、コンテンツ配信サーバである、
データ送信方法。
【請求項５】
請求項１から請求項３のいずれか一項に記載のデータ送信方法であって、
前記外部端末は、放送波受信機である、
データ送信方法。
【請求項６】
外部端末からコンテンツを受信し、受信した前記コンテンツを複数の端末へ送信するアクセスポイントであって、
当該アクセスポイントに接続している端末が許容する言語の種類を取得する言語取得部と、
外部端末にアクセスするアクセス部と、
前記外部端末に前記言語の種類を通知する通知部と、
前記外部端末から前記言語の種類に対応したコンテンツを受信する受信部と、
前記受信したコンテンツを前記複数の端末に対してマルチキャスト送信する送信部と、を有する、
アクセスポイント。
【請求項７】
外部端末からコンテンツを受信し、受信した前記コンテンツを複数の端末へ送信するアクセスポイント、を備えるデータ送信システムであって、
前記アクセスポイントは、
当該アクセスポイントに接続している端末が許容する言語の種類を取得する言語取得部と、
外部端末にアクセスするアクセス部と、
前記外部端末に前記言語の種類を通知する通知部と、
前記外部端末から前記言語の種類に対応したコンテンツを受信する受信部と、
前記受信したコンテンツを前記複数の端末に対してマルチキャスト送信する送信部と、を有する、
データ送信システム。
【発明の詳細な説明】
【技術分野】
【０００１】
本開示は、複数の端末が接続されるアクセスポイントが実行するデータ送信方法と、該データ送信方法を用いたアクセスポイント及びデータ送信システムとに関する。
【背景技術】
【０００２】
現在、公衆無線ＬＡＮ（Local Area Network）を用いて外国人向けのコンテンツ（例えば、観光情報コンテンツ）の配信が行われている。無線ＬＡＮ機能を有するスマートフォン、ＰＤＡ（Personal Data Assistance）、ノートパソコン等の端末を所持するユーザは、アクセスポイントに接続可能なエリア内でコンテンツの配信を受けている。配信言語の種類は５種類程度に限定され、翻訳エンジンを使用して端末アプリ側でユーザ言語に対応させるようにしている。
【０００３】
なお、公衆無線ＬＡＮを用いてコンテンツを配信するデータ送信システムとは異なるが、多国語の使用を可能とした装置として、例えば特許文献１に記載された映像音声多重化装置がある。この映像音声多重化装置は、複数の音声データを１つのデフォルト音声データと、１つ以上のオプション音声データとして有し、通常はデフォルト音声データを選択して映像データと多重化データを構成し、オプション音声データが選択されたときには、多重化データ中のデフォルト音声データをオプション音声データに入れ替えるようにしている。
【先行技術文献】
【特許文献】
【０００４】
【特許文献１】特開平１１−２０５７５０号公報
【発明の概要】
【発明が解決しようとする課題】
【０００５】
ところで、より多くの民族にコンテンツ配信サービスを提供しようとすると、翻訳エンジンの言語対応負荷が増えて端末アプリ処理負荷が重くなってしまうという課題が生ずる。この課題は、端末側の翻訳エンジンを使用せずにアクセスポイントから多数の言語（例えば、２０〜３０言語）に対応させたコンテンツを多重配信することで、端末アプリ処理負荷を軽減させることは可能である。しかしながら、対応言語が増加するに従い、コンテンツ配信サーバからのデータ量が多くなって、コンテンツ配信サーバとアクセスポイントとの間を接続するネットワーク（これを“上位ネットワーク”と呼ぶ）の負荷が増えてしまうという新たな課題が生ずる。即ち、コンテンツ配信サーバからのデータ量が多くなると、上位ネットワーク帯域の有効活用が図れにくくなるという新たな課題が生ずる。
【０００６】
本開示は、係る事情に鑑みてなされたものであり、より多くの言語に対応させたコンテンツの配信を可能としながらも、上位ネットワークの負荷や端末アプリ処理の負荷を低く抑えることができるデータ送信方法、アクセスポイント及びデータ送信システムを提供することを目的とする。
【課題を解決するための手段】
【０００７】
本開示のデータ送信方法は、外部端末からコンテンツを受信し、受信した前記コンテンツを複数の端末へ送信するアクセスポイントが実行するデータ送信方法であって、前記アクセスポイントは、当該アクセスポイントに接続している端末が許容する言語の種類を取得し、前記外部端末に前記言語の種類を通知し、前記外部端末から前記言語の種類に対応したコンテンツを受信し、前記受信したコンテンツを前記複数の端末に対してマルチキャスト送信する。
【０００８】
本開示のアクセスポイントは、外部端末からコンテンツを受信し、受信した前記コンテンツを複数の端末へ送信するアクセスポイントであって、当該アクセスポイントに接続している端末が許容する言語の種類を取得する言語取得部と、外部端末にアクセスするアクセス部と、前記外部端末に前記言語の種類を通知する通知部と、前記外部端末から前記言語の種類に対応したコンテンツを受信する受信部と、前記受信したコンテンツを前記複数の端末に対してマルチキャスト送信する送信部と、を有する。
【０００９】
本開示のデータ送信システムは、外部端末からコンテンツを受信し、受信した前記コンテンツを複数の端末へ送信するアクセスポイント、を備えるデータ送信システムであって、前記アクセスポイントは、当該アクセスポイントに接続している端末が許容する言語の種類を取得する言語取得部と、外部端末にアクセスするアクセス部と、前記外部端末に前記言語の種類を通知する通知部と、前記外部端末から前記言語の種類に対応したコンテンツを受信する受信部と、前記受信したコンテンツを前記複数の端末に対してマルチキャスト送信する送信部と、を有する。
【発明の効果】
【００１０】
本開示によれば、より多くの言語に対応させたコンテンツの配信を可能としながらも、上位ネットワークの負荷や端末アプリ処理の負荷を低く抑えることができる。
【図面の簡単な説明】
【００１１】
【図１】本開示の一実施の形態に係るデータ送信システムの概略構成を示すブロック図
【図２】本実施の形態に係るデータ送信システムの無線ＬＡＮアクセスポイントが有する端末管理テーブルの一例を示す図
【図３】本実施の形態に係るデータ送信システムの無線ＬＡＮアクセスポイントが有する配信言語テーブルの一例を示す図
【図４】本実施の形態に係るデータ送信システムにおける動作の概要を模式的に示した図
【図５】本実施の形態に係るデータ送信システムの動作を説明するためのシーケンス図
【発明を実施するための形態】
【００１２】
以下、本開示を実施するための好適な実施の形態について、図面を参照して詳細に説明する。
【００１３】
図１は、本開示の一実施の形態に係るデータ送信システムの概略構成を示すブロック図である。同図において、本実施の形態に係るデータ送信システム１は、複数の無線ＬＡＮ受信端末２ｉ（ｉ＝１，２，３，…ｎ）（端末）と、複数の無線ＬＡＮ受信端末２ｉが接続される無線ＬＡＮアクセスポイント（アクセスポイント）３と、無線ＬＡＮアクセスポイント３に接続要求のあった無線ＬＡＮ受信端末２ｉにＩＰ（Internet Protocol）アドレスを発行する認証ＤＨＣＰ（Dynamic Host Configuration Protocol）サーバ（認証サーバ）４と、多数の言語に対応した観光情報等のコンテンツを配信するコンテンツ配信サーバ（外部端末）５と、を備える。なお、本実施の形態においては端末の一例として無線ＬＡＮ受信端末を用いて説明を行うが、端末は有線を用いて通信可能に接続されたものであってもよい。
【００１４】
複数の無線ＬＡＮ受信端末２ｉと無線ＬＡＮアクセスポイント３との間は、例えばＩＥＥＥ８０２．１１の規格に準拠する無線ＬＡＮで通信が行われる。無線ＬＡＮアクセスポイント３と認証ＤＨＣＰサーバ４との間及び無線ＬＡＮアクセスポイント３とコンテンツ配信サーバ５との間は、インターネット等のＩＰネットワークを介して通信が行われる。
【００１５】
無線ＬＡＮ受信端末（以下、“端末”と呼ぶ）２ｉは、スマートフォン、ＰＤＡ、ノートパソコン等の端末で、無線ＬＡＮ機能を有するものである。無線ＬＡＮアクセスポイント（以下、“アクセスポイント”と呼ぶ）３は、複数の端末２ｉが接続され、接続された各端末２ｉが許容する言語の種類を取得し、取得した各端末２ｉが許容する言語の種類をコンテンツ配信サーバ５に通知する。アクセスポイント３は、コンテンツ配信サーバ５に各端末２ｉが許容する言語の種類を通知した後、コンテンツ配信サーバ５より送信されてくる言語の種類に対応したコンテンツを受信し、受信した各コンテンツを多重化してマルチキャスト送信する。
【００１６】
アクセスポイント３は、ＣＰＵ３０と、端末管理テーブル３１と、配信言語テーブル３２と、ＲＦ部（送信部）３３と、を有する。ＣＰＵ３０には、ＣＰＵ３０を制御するためのプログラムが書き込まれた不図示のＲＯＭ（Read Only Memory）と、ＣＰＵ３０の動作においてワークメモリとして使用される不図示のＲＡＭ（Random Access Memory）等が接続されている。端末管理テーブル３１及び配信言語テーブル３２は、ＣＰＵ３０に接続されたＲＡＭ上に設定される。
【００１７】
ＣＰＵ３０は、言語取得機能（言語取得部に対応）と、アクセス機能（アクセス部に対応）と、通知機能（通知部に対応）と、受信機能（受信部に対応）と、テーブル管理機能と、を有する。ＣＰＵ３０の言語取得機能は、アクセスポイント３に接続された端末２ｉが許容する言語の種類を取得する。例えば、端末２１が許容する言語が「日本語」であれば、ＣＰＵ３０の言語取得機能は、端末２１がアクセスポイント３に接続されたときに、端末２１が許容する言語の種類である「日本語」を端末２１から取得する。また、端末２２が許容する言語が「英語」であれば、ＣＰＵ３０の言語取得機能は、端末２２がアクセスポイント３に接続されたときに、端末２２が許容する言語の種類である「英語」を端末２２から取得する。また、端末２３が許容する言語が「中国語」であれば、ＣＰＵ３０の言語取得機能は、端末２３がアクセスポイント３に接続されたときに、端末２３が許容する言語の種類である「中国語」を端末２３から取得する。
【００１８】
ＣＰＵ３０のアクセス機能は、コンテンツ配信サーバ５にアクセスするための機能である。ＣＰＵ３０のアクセス機能は、コンテンツ配信要求時にコンテンツ配信サーバ５にアクセスしてコンテンツ配信要求を送信する。
【００１９】
ＣＰＵ３０の通知機能は、コンテンツ配信サーバ５に言語の種類を通知する。ＣＰＵ３０の通知機能は、コンテンツ配信サーバ５に対し、端末２ｉが許容する言語の種類を通知するコンテンツ配信要求を送信する。なお、アクセスポイント３に複数の端末２ｉが接続されていて、言語の種類が共通する端末２ｉが少なくとも２台ある場合、ＣＰＵ３０の通知機能は、コンテンツ配信サーバ５に対し、１台分の言語の種類のみ通知する。例えば、端末２１，２２が許容する言語の種類が共に「日本語」の場合、ＣＰＵ３０の通知機能は、コンテンツ配信サーバ５に対し、１度だけ言語の種類即ち日本語を通知する。このように、コンテンツ配信サーバ５への言語の種類の通知において重複を避けることで、上位ネットワークの負荷を低く抑えることができる。
【００２０】
ＣＰＵ３０の受信機能は、コンテンツ配信サーバ５より送信されてくるコンテンツ配信を受信する。コンテンツ配信サーバ５より送信されてくるコンテンツ配信は、端末２ｉが許容する言語の種類に対応したコンテンツを配信するものである。
【００２１】
ＣＰＵ３０のテーブル管理機能は、アクセスポイント３に接続要求してきた端末２ｉのＭＡＣ（Media Access Control）アドレスと、端末２ｉに対して発行されたＩＰアドレスと、端末２ｉを接続した接続時刻とを端末管理テーブル３１で管理する。また、ＣＰＵ３０のテーブル管理機能は、アクセスポイント３に接続要求してきた端末２ｉに対する配信言語を配信言語テーブル３２で管理する。端末２ｉのＩＰアドレスは、端末２ｉがアクセスポイント３に接続要求を送信した直後に、認証ＤＨＣＰサーバ４より発行される。
【００２２】
図２は、本実施の形態に係るデータ送信システム１のアクセスポイント３が有する端末管理テーブル３１の一例を示す図である。ＣＰＵ３０のテーブル管理機能は、接続要求してきた端末２ｉに対し、管理端末ＩＤを付けて端末２ｉのＭＡＣアドレス、ＩＰアドレス及び接続時刻を端末管理テーブル３１に登録する。
【００２３】
図３は、本実施の形態に係るデータ送信システム１のアクセスポイント３が有する配信言語テーブル３２の一例を示す図である。ＣＰＵ３０のテーブル管理機能は、接続要求してきた端末２ｉに対し、管理端末ＩＤを付けて、端末２ｉに対する配信言語ＩＤを配信言語テーブル３２に登録する。図３の例では、管理端末ＩＤ「１」に対して配信言語ＩＤ「１：日本語」、管理端末ＩＤ「２」に対して配信言語ＩＤ「１：日本語」、管理端末ＩＤ「３」に対して配信言語ＩＤ「２：英語」、管理端末ＩＤ「４」に対して配信言語ＩＤ「３：中国語」、…が登録されている。
【００２４】
図１に戻り、認証ＤＨＣＰサーバ４は、ＩＰアドレスなど必要な情報を自動的に発行するサーバである。認証ＤＨＣＰサーバ４は、端末２ｉがアクセスポイント３に接続要求を送信することで、アクセスポイント３より送信されるＩＰアドレス割当要求に応じてＩＰアドレスを発行し、アクセスポイント３に通知する。
【００２５】
コンテンツ配信サーバ５は、多数の言語（例えば、２０〜３０言語）に対応させたコンテンツ（例えば、観光情報コンテンツ）を配信する。コンテンツ配信サーバ５は、アクセスポイント３より送信されてきたコンテンツ配信要求（端末２ｉが許容する言語の種類を通知する情報）を受信すると、コンテンツ配信要求に応じたコンテンツを選択し、選択したコンテンツをアクセスポイント３に通知する。例えば、コンテンツ配信サーバ５は、アクセスポイント３より送信された日本語のコンテンツ配信要求を受信すると、日本語のコンテンツを選択してアクセスポイント３に通知する。また、コンテンツ配信サーバ５は、アクセスポイント３より送信された英語のコンテンツ配信要求を受信すると、英語のコンテンツを選択してアクセスポイント３に通知する。また、コンテンツ配信サーバ５は、アクセスポイント３より送信された中国語のコンテンツ配信要求を受信すると、中国語のコンテンツを選択してアクセスポイント３に通知する。なお、本開示において「言語に対応するコンテンツ」とは本実施の形態のように言語に応じて異なるコンテンツ（番組など）を意味する場合も含み、また、同一のコンテンツ（番組など）であって字幕／音声の部分がそれぞれ特定の言語に対応するということを意味する場合も含む。
【００２６】
アクセスポイント３は、コンテンツ配信サーバ５より送信されてきた複数のコンテンツを受信すると、これらのコンテンツを多重化して複数の端末２ｉに対してマルチキャスト送信する。なお、コンテンツ配信サーバ５より１つのコンテンツのみ送信されてきた場合は、多重化することなくそのままマルチキャスト送信する。
【００２７】
端末２ｉは、アクセスポイント３よりマルチキャスト送信された多重化されたコンテンツを受信すると、自己が許容する言語の種類と一致する言語のコンテンツを選択し、その他の言語のコンテンツは削除する。例えば、端末２１の許容する言語の種類が「日本語」であれば、端末２１は多重配信されてきたコンテンツの中から日本語のコンテンツを選択し、その他の言語のコンテンツは削除する。
【００２８】
図４は、本実施の形態に係るデータ送信システム１における動作の概要を模式的に示した図である。同図は、アクセスポイント３のマルチキャスト送信の様子と、３台の端末２１，２２，２３が多重化されたコンテンツの中から許容する言語の種類のコンテンツを選択する様子を模式的に示した図である。同図において、アクセスポイント３は、コンテンツ配信サーバ５から端末２１，２２，２３のそれぞれが許容する言語の種類のコンテンツを取得すると、これらのコンテンツを多重化してマルチキャスト送信する。この例では、端末２１の許容する言語の種類を「日本語」、端末２２の許容する言語の種類を「英語」、端末２３の許容する言語の種類を「中国語」としている。また、端末２１には管理端末ＩＤ「１」、端末２２には管理端末ＩＤ「２」、端末２３には管理端末ＩＤ「３」がそれぞれ付与されている。
【００２９】
アクセスポイント３からは、「日本語」、「英語」、「中国語」の各コンテンツが多重化されてマルチキャスト送信される。端末２１は、アクセスポイント３よりマルチキャスト送信された多重化されたコンテンツを受信し、受信した「日本語」、「英語」及び「中国語」の３つのコンテンツの中から「日本語」のコンテンツを選択し、「英語」及び「中国語」の２つのコンテンツは削除する。端末２２は、アクセスポイント３よりマルチキャスト送信された多重化されたコンテンツを受信し、受信した「日本語」、「英語」及び「中国語」の３つのコンテンツの中から「英語」のコンテンツを選択し、「日本語」及び「中国語」の２つのコンテンツは削除する。端末２３は、アクセスポイント３よりマルチキャスト送信された多重化されたコンテンツを受信し、受信した「日本語」、「英語」及び「中国語」の３つのコンテンツの中から「中国語」のコンテンツを選択し、「日本語」及び「英語」の２つのコンテンツは削除する。
【００３０】
図５は、本実施の形態に係るデータ送信システム１の動作を説明するためのシーケンス図である。同図において、端末２ｉ（ここでは、ｉを「２」とする）において、ユーザがコンテンツを取得するためのアプリを起動する操作を行うと、端末２２のアプリが起動する（ステップＳ１１）。起動したアプリは、アクセスポイント３に対して接続要求を送信する（ステップＳ１２）。アクセスポイント３のＣＰＵ３０は、端末２２より送信された接続要求を受信すると、認証ＤＨＣＰサーバ４に対してＩＰアドレス割当要求を送信する（ステップＳ１３）。認証ＤＨＣＰサーバ４は、アクセスポイント３より送信されたＩＰアドレス割当要求を受信すると、ＩＰアドレスを発行し（ステップＳ１４）、発行したＩＰアドレスをアクセスポイント３に通知する（ステップＳ１５）。なお、端末２２のアプリは起動した時などのタイミングで、端末２２のユーザに対して、許容する言語の設定を行うよう促す画面を表示してもよい。当該画面において端末２２のユーザが所定の言語を選択すると、当該選択された言語が端末２２の許容する言語に設定される。
【００３１】
アクセスポイント３のＣＰＵ３０は、認証ＤＨＣＰサーバ４より送信されたＩＰアドレスを受信すると、端末管理テーブル３１に端末２２のＩＰアドレス、端末２２のＭＡＣアドレス及び接続時刻を登録する（ステップＳ１６）。アクセスポイント３のＣＰＵ３０は、端末管理テーブル３１に端末２２のＩＰアドレス、ＭＡＣアドレス及び接続時刻を登録した後、端末２２にＩＰアドレスを通知する（ステップＳ１７）。アクセスポイント３のＣＰＵ３０は、端末２２にＩＰアドレスを送信した後、配信言語通知要求を端末２２に送信する（ステップＳ１８）。端末２２は、アクセスポイント３より送信された配信言語通知要求を受信すると、自身が許容する言語の種類即ち「英語」を取得し（ステップＳ１９）、アクセスポイント３に言語情報を通知する（ステップＳ２０）。
【００３２】
アクセスポイント３のＣＰＵ３０は、端末２２より送信された言語情報通知を受信すると、端末２２の言語情報を配信言語テーブル３２に登録する（ステップＳ２１）。アクセスポイント３のＣＰＵ３０は、端末２２の言語情報を配信言語テーブル３２に登録した後、コンテンツ配信サーバ５にコンテンツ配信要求を送信する（ステップＳ２２）。コンテンツ配信サーバ５は、アクセスポイント３より送信されたコンテンツ配信要求を受信すると、配信コンテンツ選択処理を行う（ステップＳ２３）。即ち、コンテンツ配信サーバ５は、「英語」のコンテンツを選択する。コンテンツ配信サーバ５は、配信コンテンツ選択処理を行った後、アクセスポイント３にコンテンツを配信する（ステップＳ２４）。本実施の形態においてはステップＳ２３で「英語」のコンテンツが選択されたので、ステップＳ２４においてもコンテンツ配信サーバ５は、「英語」のコンテンツを配信する。アクセスポイント３は、コンテンツ配信サーバ５より送信されたコンテンツを受信すると、端末２２に受信したコンテンツを配信する（ステップＳ２５）。本実施の形態においてはステップＳ２４で「英語」のコンテンツが配信されたので、ステップＳ２５でも「英語」のコンテンツが配信される。
【００３３】
このように、本実施の形態におけるデータ送信システム１によれば、アクセスポイント３は、アクセスポイント３に接続している全ての端末２ｉのそれぞれが許容する言語の種類を取得し、コンテンツ配信サーバ５にアクセスして、各端末２ｉの言語の種類を通知し、言語の種類を通知した後、コンテンツ配信サーバ５より各端末２ｉの言語の種類に対応したコンテンツを受信すると、受信したコンテンツを多重化してアクセスポイント３に接続している全ての端末２ｉに対してマルチキャスト送信するので、コンテンツ配信サーバ５よりアクセスポイント３へ送られるコンテンツが、アクセスポイント３に接続している全ての端末２ｉのそれぞれが許容する言語の種類に対応したコンテンツとなるので、より多くの言語に対応させたコンテンツの配信を可能としながらも、コンテンツ配信サーバ５とアクセスポイント３との間の上位ネットワークにおける負荷を低く抑えることができ、上位ネットワーク帯域の有効活用が可能となる。また、各端末２ｉにおいては、端末アプリ処理の負荷を低く抑えることができる。
【００３４】
なお、上記実施の形態におけるデータ送信システム１においては、コンテンツの配信をインターネット等のＩＰネットワークに接続されたコンテンツ配信サーバ５より受けるようにしたが、放送波を利用してコンテンツが配信されるような場合、放送されたコンテンツを受信できる放送波受信機（不図示）を用いて、この放送波受信機よりコンテンツの配信を受けるようにしてもよい。従来のアナログテレビで使用されていたＶＨＦ―ＬＯＷ帯（９０〜１０８ＭＨｚ）を利用したコンテンツの配信が予定されており、コンテンツを受信できる放送波受信機を用いることで、コンテンツの配信を受けることができる。この場合、放送波受信機は、コンテンツ配信サーバ５と同様の機能を有し、アクセスポイント３より送信されたコンテンツ配信要求を受信すると、配信コンテンツ選択処理を行い、アクセスポイント３に対して、コンテンツを配信する。
【００３５】
なお、言語の種類に対応したコンテンツをコンテンツ配信サーバ５が保有していない場合は、コンテンツ配信サーバ５はアクセスポイント３に対して言語の種類に対応しないコンテンツを送信してもよい。このような場合は、アクセスポイント３は、コンテンツ配信サーバ５が保有していなかった言語の種類を許容する端末２ｉに対して、送信するコンテンツが言語の種類に対応していない旨を付して、当該コンテンツを送信してもよい。受信したコンテンツに、言語の種類に対応していない旨が付されていた場合、端末２ｉは端末２ｉのユーザに対して「対応する言語のコンテンツが存在しなかったため＊＊語のコンテンツを再生します」などのメッセージを表示することでユーザに注意を促す。
【００３６】
なお、端末２ｉにおける、コンテンツを受信するアプリを終了させた場合はその旨を自身のＩＰアドレスと共にアクセスポイント３に通知する。アプリを終了した旨を受信したアクセスポイント３は、端末管理テーブル３１から、アプリを終了した端末を削除する。結果として、配信言語テーブル３２からも当該アプリを終了した端末が許容する言語が削除される。例えば図２、図３に示す例において管理端末ＩＤ「４」の端末２４がアプリを終了すると、端末管理テーブル３１から管理端末ＩＤ「４」の情報が削除される。そして、配信言語テーブル３２からも管理端末ＩＤ「４」の情報が削除される。結果として、「中国語」が配信言語テーブル３２に存在しなくなる。よって、アクセスポイント３はコンテンツ配信サーバ５に対してステップＳ２２におけるコンテンツ配信要求の際に「中国語」のコンテンツの配信を要求しなくなる。このようにすると、コンテンツ配信サーバ５は「中国語」のコンテンツを配信しなくなり、アクセスポイント３も同様に「中国語」のコンテンツを配信しなくなる。結果として不要な言語のコンテンツを多重化しなくなることで、空き帯域の有効活用を行うことが可能になる。
【００３７】
以上、図面を参照しながら実施の形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、本開示の趣旨を逸脱しない範囲において、上記実施の形態における各構成要素を任意に組み合わせてもよい。
【００３８】
また、上記実施の形態の説明に用いた無線ＬＡＮアクセスポイント３の各機能ブロックは、典型的には集積回路であるＬＳＩ（Large Scale Integration）として実現される。これらは個別に１チップ化されてもよいし、各機能ブロックの一部又は全てを含むように１チップ化されてもよい。ここではＬＳＩとしたが、集積度の違いにより、ＩＣ、システムＬＳＩ、スーパーＬＳＩ、ウルトラＬＳＩと呼称されることもある。また、集積回路化の手法にはＬＳＩに限らず、専用回路または汎用プロセッサを用いて実現してもよい。ＬＳＩ製造後に、プログラムすることが可能なＦＰＧＡ（Field Programmable Gate Array）、又は、ＬＳＩ内部の回路セルの接続、設定が再構成可能なリコンフィグラブル・プロセッサーを利用してもよい。さらには、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてありえる。
【００３９】
（本開示の一態様の概要）
本開示のデータ送信方法は、外部端末からコンテンツを受信し、受信した前記コンテンツを複数の端末へ送信するアクセスポイントが実行するデータ送信方法であって、前記アクセスポイントは、当該アクセスポイントに接続している端末が許容する言語の種類を取得し、前記外部端末に前記言語の種類を通知し、前記外部端末から前記言語の種類に対応したコンテンツを受信し、前記受信したコンテンツを前記複数の端末に対してマルチキャスト送信する。
【００４０】
上記方法によれば、外部端末からアクセスポイントへ送られるコンテンツが、端末が許容する言語の種類に対応したコンテンツのみとなるので、外部端末とアクセスポイントとの間の上位ネットワークにおける負荷を低く抑えることができ、上位ネットワーク帯域の有効活用が可能となる。
【００４１】
上記方法において、前記アクセスポイントは、認証サーバにアクセスして、当該アクセスポイントに接続している端末の認証を取得した後に、当該アクセスポイントに接続している端末が許容する言語の種類を取得する。
【００４２】
上記方法によれば、認証を取得できた端末のユーザにのみ情報を提供することができる。
【００４３】
上記方法において、前記取得された前記言語の種類がすでに取得されたものである場合、前記外部端末に前記言語の種類を通知しない。
【００４４】
上記方法によれば、外部端末とアクセスポイントとの間の上位ネットワークの負荷を低く抑えることができ、上位ネットワーク帯域の有効活用が可能となる。
【００４５】
上記方法において、前記外部端末は、コンテンツ配信サーバである。
【００４６】
上記方法によれば、端末のユーザが必要とする情報を提供することができる。
【００４７】
上記方法において、前記外部端末は、放送波受信機である。
【００４８】
上記方法によれば、放送されたコンテンツを受信できる放送波受信機によりコンテンツの配信を受けることができる。
【００４９】
本開示のアクセスポイントは、外部端末からコンテンツを受信し、受信した前記コンテンツを複数の端末へ送信するアクセスポイントであって、当該アクセスポイントに接続している端末が許容する言語の種類を取得する言語取得部と、外部端末にアクセスするアクセス部と、前記外部端末に前記言語の種類を通知する通知部と、前記外部端末から前記言語の種類に対応したコンテンツを受信する受信部と、前記受信したコンテンツを前記複数の端末に対してマルチキャスト送信する送信部と、を有する。
【００５０】
上記構成によれば、外部端末からアクセスポイントへ送られるコンテンツが、端末が許容する言語の種類に対応したコンテンツのみとなるので、外部端末とアクセスポイントとの間の上位ネットワークにおける負荷を低く抑えることができ、上位ネットワーク帯域の有効活用が可能となる。
【００５１】
本開示のデータ送信システムは、外部端末からコンテンツを受信し、受信した前記コンテンツを複数の端末へ送信するアクセスポイント、を備えるデータ送信システムであって、前記アクセスポイントは、当該アクセスポイントに接続している端末が許容する言語の種類を取得する言語取得部と、外部端末にアクセスするアクセス部と、前記外部端末に前記言語の種類を通知する通知部と、前記外部端末から前記言語の種類に対応したコンテンツを受信する受信部と、前記受信したコンテンツを前記複数の端末に対してマルチキャスト送信する送信部と、を有する。
【００５２】
上記構成によれば、外部端末からアクセスポイントへ送られるコンテンツが、端末が許容する言語の種類に対応したコンテンツのみとなるので、外部端末とアクセスポイントとの間の上位ネットワークにおける負荷を低く抑えることができ、上位ネットワーク帯域の有効活用が可能となる。
【産業上の利用可能性】
【００５３】
本開示は、公衆無線ＬＡＮを用いてコンテンツの配信を行うデータ送信システムなどに有用である。
【符号の説明】
【００５４】
１  データ送信システム
２１，２２，２３，…，２ｎ  無線ＬＡＮ受信端末
３  無線ＬＡＮアクセスポイント
４  認証ＤＨＣＰサーバ
５  コンテンツ配信サーバ
３０  ＣＰＵ
３１  端末管理テーブル
３２  配信言語テーブル
３３  ＲＦ部
【図１】
2017037408.tif 000003
【図２】
2017037408.tif 000004
【図３】
2017037408.tif 000005
【図４】
2017037408.tif 000006
【図５】
2017037408.tif 000007